(57)【要約】【課題】有効でかつ遠隔式で再構成可能なＳＩＭカードの提供を目的とす。【解決手段】広域移動式電話ネットワークのような電気通信システムにおいて、各加入者ユニットは加入者識別モジュール（ＳＩＭカード）を有し、各ＳＩＭカードは空中越しにデータをアドレスできる固定記憶位置（22）を有している。これらの位置（22）のいくつかは加入者ユニットから書き重ねできないが、これらの位置の１つに各々が関連する短くて簡単なコードを入力すれば加入者ユニットからアクセスできる。加入者が個人識別番号を入力した場合にのみ、さらなる固定記憶位置（24）を空中越しに読み出すことができる。位置（22,24）への読み出し／書き込みアクセスを制御するためにロッキングコントロールファイル（27,28）がそれぞれ利用される。【選択図】図１
2008211851.tif 000002
【特許請求の範囲】
【請求項１】
少なくとも１つのホストステーション（1）と、複数の加入者ユニット（6,7）とを有し、該１つのホストステーションもしくは各ホストステーションは少なくとも１つの加入者ユニットにメッセージを送信すべく作動でき、各加入者ユニットは多数の固定記憶位置（22）と、メッセージの検出に応答して、メッセージを、加入者ユニット（6,7）からの書き重ねはできないが必要により加入者ユニトからアクセスできる、選択された一つの固定記憶位置に記憶するための手段とを有している電気通信システム。
【請求項２】
前記加入者ユニット（6,7）のうちの少なくとも１つは送受信器（6）と、前記固定記憶位置（22）を有する集積回路カード（7）もしくはその他のモジュールと、前記送受信器によるメッセージの受信に応答して、これを選択された固定記憶位置に送るための手段とを有し、前記モジュールは前記送受信器に取り外し可能に取り付けられる請求項１に記載のシステム。
【請求項３】
各記憶位置（22）は簡単で短いコードに関連しており、前記加入者ユニット（6,7）は各コードの前記ユニットへの入力に応答して関連する記憶位置（22）からデータを取り出すための手段を有している請求項１もしくは２に記載のシステム。
【請求項４】
前記１つのホストステーション（1）もしくは各ホストステーションは各加入者ユニット（6,7）における前記固定記憶位置（22）に記憶されたメッセージを書き重ねるべく作動できる請求項１〜３に記載のシステム。
【請求項５】
前記１つのホストステーション（1）もしくは各ホストステーションは加入者ユニット（6,7）のうちの選択された一つ内の固定記憶位置（24）に記憶された情報の要求を伝送すべく作動でき、各加入者ユニットはこのような要求に応えて情報を取り出して伝送するための手段を有している請求項１〜４に記載のシステム。
【請求項６】
前記要求に応える手段は加入者ユニット（6,7）に個人識別番号（ＰＩＮ番号）が入力された時にのみ作動する請求項５に記載のシステム。
【請求項７】
前記加入者ユニット（6,7）は該加入者ユニット（6,7）から書き重ねできるさらなる複数の固定記憶位置を有している請求項１〜６に記載のシステム。
【請求項８】
各加入者ユニット（6,7）は前記１つのホストステーション（1）もしくは各ホストステーションから伝送された指示に応答して、前記のさらなる固定記憶位置が、前記１つのホストステーション（1）もしくは各ホストステーションから、或いは前記加入者ユニット（6,7）から書き重ねられることを選択的に可能とし或いは禁止する手段（27,28）を有する請求項１〜７に記載のシステム。
【請求項９】
各加入者ユニット（6,7）は前記１つのホストステーション（1）もしくは各ホストステーションから伝送された指示に応答して、前記加入者ユニット（6,7）における前記固定記憶位置もしくは前記のさらなる固定記憶位置に記憶されたプログラムを走らせるための手段を有する請求項１〜８に記載のシステム。
【請求項１０】
伝送された１つのメッセージもしくは各メッセージ、情報についての要求及び指示は特定のフォーマットのものであり、加入者ユニット（6,7）はこの特定のフォーマットを認識するための手段（16）を有している、請求項５の従属項としての請求項８もしくは９に記載のシステム。
【請求項１１】
前記モジュール（7）はメッセージの検出に応答してこのメッセージを前記固定記憶位置のうちの選択された１つに記憶するための手段及び／もしくは簡単で短いコードの入力に応答して関連する記憶位置からデータを取り出すための手段及び／もしくは情報についての要求に応答して情報を取り出して伝送するための手段及び／もしくは加入者により書き重ね可能な複数のさらなる固定記憶位置及び／もしくは前記のさらなる固定記憶位置への書き重ねを選択的に可能としもしくは禁止するための手段及び／もしくはプログラムを走らせるための手段及び／もしくは特定のフォーマットを認識するための手段を有している、請求項２の従属項としての請求項３〜１０のいずれかに記載のシステム。
【請求項１２】
電気通信システムにおける加入者ユニットを制御するための、加入者ユニットに取り外し可能に接続されたモジュール（7）であって、多数の固定記憶位置（22,24）と、遠隔から伝送されたメッセージの検出に応答して、前記固定記憶位置のうちの選択された１つにメッセージを記憶するための手段とを有するモジュール。
【請求項１３】
前記固定記憶位置（22,24）のうちの少なくとも１つは前記加入者ユニットからの書き重ねから保護されている請求項１２に記載のモジュール（7）。
【請求項１４】
前記固定記憶位置のいずれかもしくは全てを前記加入者ユニットもしくはホストステーションのいずれかからアクセス可能とし或いはアクセス不能とするための手段（27,28）を有する請求項１２もしくは１３に記載のモジュール（7）。
【請求項１５】
ファイルを内部に記憶できるディレクトリ構造（21）を有している請求項１２，１３もしくは１４に記載のモジュール（7）。
【請求項１６】
当該モジュールは集積回路カードの形態のものである請求項１２〜１５のいずれか１つに記載のモジュール（7）。
【発明の詳細な説明】
【技術分野】
【０００１】
本発明は電気通信システムに関し、特に、例えばセルラー（cellular）移動式無線通信或いは電話システムのような移動式通信システムに関するものであるが、これらに限定されるわけではない。
【背景技術】
【０００２】
これらのシステムにおける最近の革新は加入者識別モジュール（Subscriber Identity Module）（ＳＩＭカード）の導入にある。これらは移動式電話に抜き取り可能に挿入でき、例えば加入者の識別、すなわち彼の電話番号をメモリーに有する、集積回路カードである。これら周知のＳＩＭカードはまた或る数の英数字を記憶できるローリングバッファを有している。このバッファは加入者もしくは特定の加入者グループのためのメッセージを進歩した形態の無線ページングとして放送される、所謂ショートメッセージサービス（ＳＭＳ）を容易とするものである。メッセージは加入者の電話により、アイドル状態であれスタンバイ状態であれ、いつでも受信できる。
【発明の開示】
【発明が解決しようとする課題】
【０００３】
しかしながら、メッセージがバッファーに過充填されると、先入れ先出し式でデータが失われてしまう。
本発明はより有効でかつ遠隔式で再構成可能なＳＩＭカードの提供を目的とするものである。
【課題を解決するための手段】
【０００４】
本発明は、一つのアスペクトでは、少なくとも１つのホストステーションと、複数の加入者ユニットとを有し、ホストステーションもしくは各ホストステーションは少なくとも１つの加入者ユニットにメッセージを送信すべく作動でき、各加入者ユニットは多数の固定記憶位置と、メッセージの検出に応答して、メッセージを、加入者ユニットからの書き重ねはできないが必要により加入者ユニトからアクセスできる、選択された一つの固定記憶位置に記憶するための手段とを有している。
【０００５】
この説明及び添付のクレームにおける”固定”記憶位置は、データを書き込める位置を意味し、先入れ先出し即ち円形バッファを排除するものである。或る”固定”記憶位置における全てのデータの書き重ねは従来のＳＭＳバッファにおいて経験されたデータの先入れ先出しロスとは対照的に生じるものである。
つまり、例えば各々識別用英数字タグを有する電話番号の１組をＳＩＭカードに送ることで、利用者は例えばホテル、ハイヤー、飛行機の予約のような共通利用されるサービスに容易にアクセスできる。この特徴は付加価値サービスディレクトリ（Value Added Service Directory）として知られている。
【０００６】
メッセージは簡単な短いコードを加入者ユニットに入力することで加入者により解読でき、ここで各記憶位置は特定のコードに対応する。メッセージには電話番号が含まれ、一旦記憶されれば空中越しに書き重ね可能である。好ましくは、ホストステーションもしくは各ホストステーションは加入者ユニットに記憶された情報についての要求を伝送すべく作動できる。このような情報はメッセージに含ませることができ、かつ加入者が個人識別番号（personal Identification number）（ＰＩＮ）を入力した時にのみアクセス可能な安全記憶位置に記憶された情報を含むことができる。このような情報は例えばクレジット状態のクレジットカード番号のような加入者に関連するクレジットの詳細を含むことができ、これによって電話を通じたクレジットカード取引の実行が非常に容易となる。本発明のこのような特徴を利用することによって、クレジット口座の所有者は彼の口座の詳細の口述書取を回避することができる。
【０００７】
ホストステーションは加入者ユニットにおける記憶位置をロックしかつ／もしくはロック解除する指示を伝達すべく作動できる。またホストステーションは加入者ユニットにおける記憶位置に記憶されたプログラムを走らせるための指示を伝送すべく作動できる。さらに、ホストステーションは機能データを含むファイル及び／もしくは非機能データを含むファイルを加入者ユニットに伝送すべく作動できる。
これらの伝送されるメッセージ、情報についての要求及び指示は特定のフォーマットで伝送でき、加入者ユニットはこの特定のフォーマットを他のフォーマッットと区別できる。この特定のフォーマットは妨害に対する安全を提供できる。  
【０００８】
好ましい実施例において、加入者ユニットは移動式の無線機もしくは電話と、無線機／電話に取り外し可能に接続できる集積回路カードとを有する。この集積回路カードは記憶位置を含み、かつ特定のフォーマットを他のフォーマットから区別するための手段を含んでいる。カードはまたメッセージと、情報についての要求と、指示との間を区別するための手段を含むことができる。カードはさらにメッセージを記憶するための手段と、要求及び指示に基づいて作動するための手段とを含むことができる。
【０００９】
もう一つのアスペクトにおいて、本発明は電気通信システムにおける加入者ユニットを制御するためのモジュールにあり、多数の固定記憶位置と、遠隔から伝送されたメッセージの検出に応答して、加入者の送信器に可動的に接続されるべく適用される選択された１つの固定記憶位置にメッセージを記憶するための手段とを有している。
固定記憶位置の少なくとも１つは加入者による書き重ねから保護されることができる。このモジュールすなわちカードは、前記固定記憶位置のいずれかもしくは全てを、加入者もしくはホストステーションのいずれかによってアクセス可能とし或いはアクセス不能とするための手段を有することができる。このカードはファイルを内部に記憶できるディレクトリ構造を有することができる。
【００１０】
本発明は広域電気通信システムに特に適用でき、該システムにおいては様々な国もしくは地域の移動式セルラー電話ネットワークが共通の標準を利用してコミュニケートする。このような広域システムの例としては、欧州で現在運用されているＧＳＭ（移動式通信のための広域システム（Global System for Mobile Communications））がある。しかしながら、本発明は広域システムに限定されるものではなく、単一の国内セルラーネットワークに適用でき、或いは固定の地上連結ネットワークにすら適用できる。
【発明を実施するための最良の形態】
【００１１】
本発明の一実施例を以下添付図面を参照して、例示のために説明する、同図面において、
図１は本発明のシステムにおける加入者ユニットへのメッセージの伝送を示す図であり；
図２は加入者ユニットがメッセージと要求された情報とを伝送するプロセスを示す図であり；
図３は図１及び図２に示したモジュールの各部材を示すブロック図であり；
図４は図３に示したブロックのうちの一つの詳細を示す図であり；
図５は図１〜４に示したモジュールの作動を示すフローチャートである。
【００１２】
図１は本発明によるＳＭＳ伝送経路を図解するものである。従来、ショートメッセージは単一の加入者もしくは営業チームのような特定の加入者グループに通常向けられていた。
しかしながら、ＧＳＭはまた、メッセージを特定地域の全ての加入者に送ることができるセル放送（Cell Broadcast）として知られる特徴をもたらす。図示した実施例において、メッセージは広告者の電話番号と、広告者の識別のための英数字タグとからなっている。
【００１３】
操作者はメッセージを端末１に入力する。このメッセージは植え込みコマンドストリーム（Embedded Command Stream）（ＥＣＳ）として知られる安全フォーマットにコード化され、モデム２と固定のライン３を経てローカルＧＳＭスイッチ４に送られる。メッセージはその伝送アドレスに従ってネットワーク内の他のスイッチのどれか、或いは全部に伝送され、或いはネットワークを横切ってすら伝送される。
このスイッチ４は本例ではメッセージが伝送される地理的領域内に有り、メッセージを多数のセルサイト（cellsites）５に伝送する。これらのセルサイト５はＧＳＭネットワークのベース送受信器ステーションである。
【００１４】
各セルサイト５は以下”移動器”と称する送受信器もしくは移動式電話のグループにメッセージを放送する。セル放送を利用すれば、このグループは放送の時点における地理的領域内の全ての移動器により形成される。
メッセージを受け取った選択された移動器６はその対応するセルサイト５に受信の確認を返送する。この時点より更新状態までは、システムはこの移動器６に再びコンタクトすることはない。
【００１５】
この移動器６はメッセージをＳＭＳデータとして認識し、これを移動器６のスロット内に保持された小さな独立マイクロプロセッサであるところのＳＩＭカード７に受け渡す。ＳＩＭカード７は特殊なハードウエア及びソフトウエアを利用してＥＣＳを順次認識し、加入者により書き重ねできないような仕方でメッセージをメモリに記憶する。周知のＳＩＭカードは加入者が頻繁にダイヤルした番号や対応する英数字タグを記憶できる、多数の固定記憶位置を含んでいる。
本発明のＳＩＭカード７はこれらの位置の一つにメッセージを記憶し、次いで書き込み保護操作を実行する。書き込み保護されたメッセージの記憶に供された位置は特定の広告者カテゴリーに関するコード数字によって指定できる。つまり、例えば、ハイヤー会社の電話番号は位置０１に、ホテル予約の電話番号は０２に記憶させる等のようにすることができる。
【００１６】
図２は加入者が広告者と通信する、呼び出し実行プロセスを示している。ハイヤー会社の番号が８で示した位置０１にあることを覚えている加入者は例えば０１＃のような位置に相当する短いコードでキー操作する。移動器６は次いでＳＩＭカード７に尋ねて上記の位置から電話番号を回収する。ＳＩＭカード７は番号と、その会社の名称を与える英数字タグの両者を提供し、これを加入者に表示する。利用者はＳＥＮＤを押すことで、彼が進行を望むことを確認する。
【００１７】
次に、移動器はボイスチャネルを獲得し、該ボイスチャネルを通じて、ダイヤルされた番号が呼び出される。ＧＳＭシステムは、イントラネットワーク（intra-network）及びインターネットワーク（inter-network）を自動的に取り扱う。この時点で、利用者はその会社と声で対話できる。
その会社に適正な装置が配備されていれば、呼び出しに応えられるやいなや、ＳＩＭカード７から読み出された加入者識別情報により、例えば名前や住所のような顧客の勘定詳細がその会社に即座に与えられる。
【００１８】
ＳＩＭカード７は加入者の口座勘定を詳細に示す情報をも含んでいる。この情報は、彼自身のみに知られた、ＰＩＮを加入者が入力した時にのみアクセス可能な、別個の安全記憶位置に保有されており、このため移動器が盗まれあるいは紛失されていないことの確認がなされる。加入者が彼のハイヤー取引を確認すると、移動器６にＰＩＮ数を入力してＳＩＭカード７からの口座情報を要求する。ＳＩＭカード７はこの情報を供給し、移動器は現存の音声／データ技術を利用して上記会社に詐欺者による検出に対して安全なフォーマットで上記会社に情報を伝送する。この取引は会社すなわちそこの装置によって確認されて、通話が停止する。
【００１９】
本例においては、加入者が、彼が利用しようと望む通信端末に数字をマニュアルで入力することなく、操作者補助ディレクトリー照会システムから電話番号やファックス番号を得ることもできる。
この特徴を利用するためには、加入者はネットワークディレクトリー照会を呼び出して、電話番号を確認したいと望む個人、会社もしくはサービスの名称、さらには呼び出しに応えるオペレータから要求されるあらゆる付加的な情報を与える。すると、オペレータは番号をつきとめてそれを確認し、さらにその番号が口頭で伝送されるべきか、ＳＭＳより加入者のＳＩＭカードの所定の記憶位置に伝送されるべきか、またはその両方かを尋ねる。
【００２０】
加入者がＳＩＭ更新を選択すると、音声通話が停止して、オペレータはコンピュータにシーケンスを入力し、或いは提供されたボタンを押すことによってＳＭＳプロセスを開始する。電話番号はこれにより転送センターでＥＣＳメッセージにコード化され、ネットワークを通じて加入者の通信端末に転送され、通信端末は転送センターへ確認を送る。このようにして、確認が受け取られるまで作動する再試行装置が停止する。
【００２１】
通信端末はメッセージをＳＭＳデータとして認識して、これをＳＩＭカードに渡し、できれば”メッセージ受信済”の象徴を表示する。このＳＩＭカードは次いで特殊なハードウェア及びソフトウェアを利用してＥＣＳを認識し、従ってこれを解読する。通常個人或いは会社の名称からなる、数字及びいかなる関連する英数字タグも、記憶を意図された記憶位置とともに解読される。これらの数字及び名称タグは次いでこの位置に書き込まれて、加入者の要求により書き込み保護され、ここで書き込み保護は元々のメッセージに符号化されているものである。  次に、加入者は記憶位置数でキー入力することにより既知の記憶位置にある番号への呼び出しを試みる。ＳＩＭカードは要求された通信端末に電話もしくはファクシミリ番号を渡し、加入者の確認が受信されると通信端末は所望の番号への呼び出しを開始する。
【００２２】
図３はＳＩＭカード７の電子的構造を示している。カードは移動器と通信し、カードはこの移動器に、好ましくはプロトコルISO 7816 T=0を利用して、入力／出力（Ｉ／Ｏ）マネージャ１５を介して接続されている。フィルタ１６はＩ／Ｏマネージャ１５からの入力データを受取り、受け取ったショートメッセージの間から何らかのＥＣＳメッセージを検出する。このＥＣＳメッセージは拡張された消去可能な読み出し専用メモリ（Ｅ2ＲＯＭ）１７に直接おくられ、このメモリ１７は好ましくは”フラッシュ”Ｅ2ＲＯＭからなる。Ｅ2ＲＯＭからデータをＩ／Ｏマネージャ１５に直接出力することも可能である。図３に示した残りのブロックはＳＩＭカードの標準的な構成部材である。
【００２３】
図４はＥ2ＲＯＭがどのようにして組織化されているかを示すものである。ルートディレクトリ１８はＳＩＭ管理及び識別器１９、ＧＳＭディレクトリ及びネットワークデータ２０、及びテレコムディレクトリ２１を含んでいる。
テレコムディレクトリは”短縮ダイヤル番号”２２，”可能性構成”（capability configuration）２３，”ショートメッセージ”２４，固定ダイヤル番号”２５及び”料金カウンタ”２６の記憶位置を順次含んでいる。各ブロックは複数のメモリ位置を表している。頻繁にダイヤルされる番号とこれに対応する英数字タグが位置２２に記憶されている。
”短縮ダイヤル番号”位置２２と”ショートメッセージ”位置２４は関連するロッキングコントロールファイル２７及び２８をそれぞれ有している。ロッキングコントロールファイルはこれらに関連する記憶位置からの読み出し／書き込み保護のためと、読み出し／書き込み保護の除去のための手段を構成している。このようなロッキングコントロールファイル２７，２８は一般に図示したテレコムディレクトリ２１内に有るが、これらは管理ディレクトリ内のような他の場所にも配置できる。
【００２４】
図５はＳＩＭカード７の作動を説明するフローチャートであり、ＳＩＭカード７は特殊に構成されたハードウェアとソフトウェアとを利用しており、これらのハードウェアとソフトウェアは上記で説明したものであって、図示した作用を実行する。菱形ブロック９において、ＥＣＳを有するメッセージ、要求及び指示はＥＣＳのないものから区別される。これらのＥＣＳタイプは各々少なくとも４つのタイプのうちの１つのコマンドにより見出し付けされたデータストリームからなり、その４つのタイプのコマンドとは、メッセージのための書き込みコマンド，情報についての要求のための読み出しコマンド、指示をロックしあるいはロック解除するための属性コマンド及びプログラムを走らせる指示のためのランコマンドである。
これらのコマンド及びデータタイプはボックス１０で解読されて、４つの経路１１〜１４のうちの一つで働かされる。
【００２５】
経路１１はその特定の位置から始まってメッセージを記憶するための書き込みコマンドを取り扱う。経路１２は読み出しコマンドを取り扱う。情報要求は最初にアクセスされるべき位置を含むものである。連続する位置が読み出されて、データは、その所要量が読み出されるまでバッファ内に記憶される。バッファ内のデータは次いでＥＣＳフォーマットにコード化され、ＳＭＳを利用した移動器から呼び出し相手に送られる。
経路１３において、属性コマンドが特定の記憶位置をロックしあるいはロック解除するのに利用され、これらを呼び出し相手あるいは加入者のいずれかによるアクセスを可能とし或いは不可能とする。経路１４においてランコマンドはＳＩＭカードに記憶されたプログラムを走らせる。
【００２６】
基本的なＥＣＳシステムは２５５の内部シェルコマンドまで拡張でき、書き込み、読み出し、ロック／ロック解除及びランはこれらのコマンドの４つの例である。情報の伝送に利用される特定のプロトコルは固定のものではなく、ISO7816T=0もしくはその他の適当なプロトコルであっても良い。
【００２７】
上記内部シェルコマンドはＳＩＭカード７内に外部ファイル実体を形成するためのシステムの能力に対する補足となるものである。このようなファイル実体としては２つのタイプがあり、１つはＳＩＭカードのプロセッサにより実行できかつ要求により自己変形可能な機能データを含むアプリケーションデータファイルプログラム（Application Data File Programs）（ＡＤＦＰ’ｓ）であり、もう一つは上記の能力を持たない非機能データを含むアプリケーションデータファイル（Application Data Files）（ＡＤＦ’ｓ）である。現存のＡＤＦ（Ｐ）’ｓを、例えば個人化、再個人化あるいはダウンロード可能な電話帳のような進歩した便宜を可能とするように、空中越しに変形可能である。
【００２８】
ＳＩＭカード７はコンピュータディスクのようなディレクトリー構造を有しており、新たなＡＤＦ（Ｐ）’ｓを空中越しに何らかのディレクトリーにダウンロードできる。さらに、空中越しにディレクトリを作成したり、削除したり、変形したりすることができ、また多重ツリーディレクトリ操作を実行することができ、もはや必要とされないＡＤＦ（Ｐ）’Ｓを削除することができる。ダウンロードできるＡＤＦ（Ｐ）データの量はカードのＥ2ＲＯＭメモリのサイズによってのみ制限される。
【００２９】
本発明は、上記のように、ＳＩＭカードの用途を著しく拡張するものである。例えば、付加価値サービスディレクトリ（Value Added Service Directory）を利用して、加入者はホテルや飛行機の座席を彼らの移動器越しに迅速かつ容易に予約できる。
【００３０】
本発明の特徴の付加的な利点は例えば南フランスのような特定の領域へのメッセージの地理的配送が容易となることである。つまり、広告者はこのような特定の領域における全ての移動器加入者に彼らのメッセージを送ることができる。これは加入者が一つの領域から他の領域へと”動き回り”、地域サービスについての知識のない場合に特に有用である。
【００３１】
ディレクトリ照会ダウンロードにより、加入者の通信端末に送られるべき電話或いはファクシミリ番号に、加入者の介在なく、コンタクトできるようになる。オペレータへの呼び出しを行うに際する番号のマニュアル入力プロセスは、特に加入者が運転中で有る場合に、しばしば危険なものである。
【００３２】
ＡＤＦ（Ｐ）をダウンロードする本システムの能力とは、現存のセルラーシステムとの全体的な互換性を保ちつつ、付加的なサービスを空中越しにＳＩＭカードに付加できることを意味する。つまり、ＳＩＭカードはクレジットカード、パスポート、運転免許証、駐車場パス、メンバーシップカード等の機能を獲得できて、マルチサービスカードとなる。また、アクセスする時毎に異なるプロセスを走らせる必要があるサービスについての、動的に更新可能なサービスを付加することができる。
【００３３】
カードに一旦特別なサービスが付加されれば、スタンドアローンアイテムとして望まれる場合に移動器電話環境外で利用できる。これはセールスマシンのポイントのようなハードウェアのそのために提供された部分によって読み出しあるいは書き込みできる。望とあらばこのようなサービスを削除することができるが、カードは移動器電話ＳＩＭ能力を決して失わない。加えて、カードが特別なサービスを有するならば、このようなサービスは、たとえ加入者が移動器電話ネットワークとの接続を絶たれた場合でも、望まない限り機能し続ける。
【００３４】
本発明の範囲から逸脱することなく変形をなすことができる。
例えば、ＳＩＭカードは加入者のニーズに関連するサービスを詳細に伝えるメッセージを受け取るためだけに仕立てることができる。
【図面の簡単な説明】
【００３５】
【図１】本発明のシステムにおける加入者ユニットへのメッセージの伝送を示す図である。
【図２】加入者ユニットがメッセージと要求された情報とを伝送するプロセスを示す図である。
【図３】図１及び図２に示したモジュールの各部材を示すブロック図である。
【図４】図３に示したブロックのうちの一つの詳細を示す図である。
【図５−１】図１〜４に示したモジュールの作動を示すフローチャートである。
【図５−２】図１〜４に示したモジュールの作動を示すフローチャートである。
【図１】
2008211851.tif 000003
【図２】
2008211851.tif 000004
【図３】
2008211851.tif 000005
【図４】
2008211851.tif 000006
【図５−１】
2008211851.tif 000007
【図５−２】
2008211851.tif 000008
【手続補正書】
【提出日】平成20年6月17日(2008.6.17)
【手続補正１】
【補正対象書類名】特許請求の範囲
【補正対象項目名】全文
【補正方法】変更
【補正の内容】
【特許請求の範囲】
【請求項１】
ホストステーションとセルラー電話に対応するＧＳＭと通信する方法であって、
ホストステーションからセルラー電話に、本文を含むショートメッセージを伝達し、
ホストステーションから、装脱着可能なＳＩＭカードを備えるセルラー電話に、コマンドと関連するデータを含むコマンドメッセージを伝達し、
セルラー電話は、コマンドメッセージ或いはショートメッセージの入力を検出し、
ショートメッセージの入力である場合には、セルラー電話に備えてある表示器にショートメッセージを表示し、
ライトコマンドメッセージの入力である場合には、ＳＩＭカードはライトコマンドメッセージのライトコマンドを解読する方法。
【請求項２】
複数のセルラー電話と通信するネットワークに対応するＧＳＭであって、
セルラー電話には装脱着可能なＳＩＭカードを備え、
ホストステーションから本文を含むショートメッセージ、或いはライトコマンドとデータを有するライトコマンドメッセージをセルラー電話に伝達し、
セルラー電話がショートメッセージ或いはライトコマンドメッセージの入力を検出し、ショートメッセージの入力である場合には、セルラー電話に備えてある表示器にショートメッセージを表示し、ライトコマンドメッセージの入力である場合には、ＳＩＭカードはライトコマンドメッセージのライトコマンドを解読するシステム。
【請求項３】
ホストステーションとセルラー電話とを通信する方法であって、
ホストステーションからセルラー電話に、第１のメッセージタイプと第２のメッセージタイプメッセージを通信し、
前記第１のタイプのメッセージはセルラー電話の表示器に表示する本文を含むようにフォーマットされていて、
前記第２のタイプのメッセージはコマンドと、本文を表示するよりセルラー電話に命令を実行するコマンドに関するデータを含むようにフォーマットされていて、
セルラー電話は第１のメッセージタイプと第２のメッセージタイプメッセージを識別し、
第１のメッセージタイプであると、セルラー電話の表示器に本文を表示し、
第２のメッセージタイプであると、セルラー電話はメッセージに含まれるコマンドに応答して、命令を実行し、
メッセージがホストステーションから、第１のメッセージタイプか第２のメッセージタイプを問わず、共通のメッセージチャンネルを介して普通に用いられるプロトコルを使用してセルラー電話に無線で伝達され、
ホストステーションは第１と第２のメッセージタイプのメッセージを伝達し、セルラー電話は第１のメッセージタイプと第２のメッセージタイプメッセージを受信して処理する方法。
【請求項４】
複数のセルラー電話の間で通信する通信ネットワークにおいて、
セルラー電話は通信可能であり、
ホストステーションは第１のメッセージタイプ又は第２のメッセージタイプのメッセージをセルラー電話に伝達し、
前記第１のメッセージタイプのメッセージはセルラー電話の表示器に表示される本文でフォーマットされ、
前記第２のメッセージタイプのメッセージはコマンドとコマンドに関するデータを含むようにフォーマットされ、前記コマンドはセルラー電話に本文を表示するのでなくセルラー電話に命令を実行するコマンドに関するデータを含むようにフォーマットされ、
セルラー電話は第１のメッセージタイプか第２のメッセージタイプかを識別し、
第１のメッセージタイプであると、セルラー電話の表示器に本文を表示し、
第２のメッセージタイプであると、命令を実行し、
メッセージは、第１のメッセージタイプか第２のメッセージタイプを問わず、ホストステーションから普通に用いられるプロトコルを使用してセルラー電話に無線で伝達され、
ホストステーションは、第１と第２のメッセージタイプのメッセージを伝達し、セルラー電話は第１と第２のメッセージタイプのメッセージを受信して処理するシステム。